【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
−冷却液を分配して冷却要素の冷却要素流路に供給する供給母管に該冷却液を供給し、
−該供給母管から該冷却要素の冷却要素流路に冷却液を供給し、
−該冷却要素の冷却要素流路から、該冷却要素の冷却要素流路から供給される冷却液を回収して収容する回収母管で冷却液を受給する、冶金炉の冷却要素の個々の冷却要素流路を流れる冷却液の温度、流量、または圧力などの物理量の少なくとも１つを計測する方法において、該方法は、
−測量ラインを配設し、
−該測量ラインを前記回収母管に接続し、該測量ラインをバルブ機構によって少なくとも１つの冷却要素の前記冷却要素流路に接続し、前記冷却液を、該測量ラインを経由して回収母管に案内し、または該測量ラインを経ずに回収母管に案内し、
−該測量ラインに、該測量ラインを流れる冷却液の温度、圧力、または流量など、該測量ラインを流れる冷却液の物理量の少なくとも１つを計測する計測器を少なくとも１つ配設し、
−前記冷却液を前記測量ラインを経由して前記回収母管に案内し、
−該測量ラインの冷却液の物理量の少なくとも１つを計測して、該物理量の値を得ることを特徴とする方法。
【請求項２】
請求項１に記載の方法において、前記測量ラインをバルブ機構によって各冷却要素流路に接続し、前記冷却液を各冷却要素流路において、該測量ラインを経由して前記回収母管に案内し、または該測量ラインを経ずに該回収母管に案内することを特徴とする方法。
【請求項３】
請求項２に記載の方法において、前記供給母管と前記回収母管との間の個々の冷却要素流路から、冷却液を順々に前記測量ラインを介して該回収母管に案内し、前記個々の冷却要素流路を流れる冷却液の前記物理量のうち少なくとも１つを計測することを特徴とする方法。
【請求項４】
請求項１ないし３のいずれかに記載の方法において、
−前記供給母管に該供給母管を流れる前記冷却液の初期温度を計測する第２温度計を設け、
−前記測量ラインに該測量ラインを流れる冷却液の最終温度を計測する第１温度計を配設し、
−該供給母管における冷却液の初期温度を計測し、
−該測量ラインにおける冷却液の最終温度を計測し、
−前記供給母管で計測した冷却液の初期温度と該測量ラインで計測した冷却液の最終温度との差を計算し、前記冷却要素流路の温度差を得ることを特徴とする方法。
【請求項５】
請求項４に記載の方法において、
−前記供給母管に該供給母管を流れる冷却液の流量を計測する第２流量計測器を設け、
−前記測量ラインにおける冷却液の流量を計測し、
−前記冷却要素流路の熱応力を、前記求められた温度差と前記測定された冷却液の流量とから算出することを特徴とする方法。
【請求項６】
請求項１ないし３のいずれかに記載の方法において、
−前記測量ラインに該測量ラインを流れる冷却液の温度を計測する第１温度計を配設し、
−該測量ラインにおける冷却液の前記最終温度を計測し、
−該測量ラインで計測された冷却液の温度を規定の最大温度値と比較し、
−該測量ラインにおける冷却液の温度が規定最大値を上回る場合、有利には警報を発することを特徴とする方法。
【請求項７】
請求項１ないし６のいずれかに記載の方法において、
−前記測量ラインに該測量ラインを流れる冷却液の圧力を計測する圧力指示器を設け、
−該測量ラインで計測された冷却液の圧力を規定の最小圧力値と比較し、
−該測量ラインにおける冷却液の圧力が規定最小圧力値を下回る場合、有利には警報を発することを特徴とする方法。
【請求項８】
請求項１ないし７のいずれかに記載の方法において、
−前記測量ラインに該測量ラインを流れる冷却液の流量を計測する第１流量計測器を配設し、
−該測量ラインにおける冷却液の流量を計測し、
−該測量ラインで計測した冷却液の流量を規定の最小流量値と比較し、
−該測量ラインにおける冷却液の流量が規定最小値を下回る場合、有利には警報を発することを特徴とする方法。
【請求項９】
請求項１に記載の方法において、
−前記測量ラインをバルブ機構によって各冷却要素流路に接続し、各冷却要素流路の冷却液を、該測量ラインを経由して前記回収母管に案内し、または該測量ラインを経ずに回収母管に案内し、
−前記供給母管に該供給母管を流れる冷却液の流量を計測する第２の流量計測器を設け、
−該測量ラインには、該測量ラインを流れる冷却液の流量を計測する第１流量計測器を配設し、
−前記供給母管における冷却液の流量を計測し、
−各冷却要素流路における冷却液の流量を計測し、
−各冷却要素流路で計測した冷却液の流量を合計することで、総戻り流量を求め、
−該総戻り流量と該供給母管に供給される流量との差を算出して流量損失を求めることを特徴とする方法。
【請求項１０】
請求項１に記載の方法において、
−前記測量ラインをバルブ機構によって各冷却要素流路に接続し、各冷却要素流路の冷却液を、該測量ラインを経由して前記回収母管に案内し、または該測量ラインを経ずに回収母管に案内し、
−前記供給母管に該供給母管を流れる冷却液の流量を計測する第２流量計測器を設け、
−該測量ラインに前記測量ラインを流れる冷却液の流量を計測する第１流量計測器を配設し、
−前記供給母管における冷却液の流量を該供給母管に設けられた第２流量計測器で計測し、
−冷却液を各冷却要素流路から前記測量ラインを経由して前記回収母管に順次案内して、各冷却要素流路において該測量ラインに配設された第１流量計測器を用いて冷却液の流量を計測し、
−各冷却要素流路について計測した冷却液の流量を合計することで、総戻り流量を求め、
−該総戻り流量と前記供給母管に供給される流量との差を算出して流量損失を求めることを特徴とする方法。
【請求項１１】
−冷却液を分配して、該冷却液を冷却要素の冷却要素流路に供給する供給母管と、
−該冷却要素の該冷却要素流路から供給される冷却液を回収して収容する回収母管とを含む、冶金炉の冷却要素の個々の冷却要素流路を流れる冷却液の温度、流量、または圧力などの物理量のうち少なくとも１つを計測する装置において、
−該装置は、バルブ機構によって少なくとも１つの冷却要素流路に流体接続され、また前記回収母管に流体接続される測量ラインを含み、これによって前記冷却液は該測量ラインを経由して該回収母管に案内され、または該測量ラインを経ずに回収母管に案内され、
−該測量ラインは、該測量ラインを流れる冷却液の温度、流量、または圧力など、少なくとも１つの物理量を計測する計測器を少なくとも１つ含むことを特徴とする装置。
【請求項１２】
請求項11に記載の装置において、前記バルブ機構は前記冷却要素と前記回収母管との間に配設されることを特徴とする装置。
【請求項１３】
請求項11または12に記載の装置において、前記供給母管と前記回収母管との間に設けられた各冷却要素流路はバルブ機構によって前記測量ラインに接続されて、前記冷却液は、該測量ラインを経由して該回収母管に案内され、または該測量ラインを経ずに該回収母管に案内されることを特徴とする装置。
【請求項１４】
請求項13に記載の装置において、該装置は前記バルブ機構を調節する機構を含み、前記供給母管と前記回収母管との間に設けられた各冷却要素流路は所定の順序で前記測量ラインに接続され、該供給母管と該回収母管との間に設けられた該冷却要素流路の１つにおいて、前記冷却液は常時順々に前記測量ラインを介して前記回収母管に案内されることを特徴とする装置。
【請求項１５】
請求項11ないし14のいずれかに記載の装置において、前記供給母管と前記回収母管との間に設けられた少なくとも１つの供給要素流路は、該冷却要素流路を流れる冷却液の流量を前記計測器によって計測した物理量に基づいて調整する調節弁を備えることを特徴とする装置。
【請求項１６】
請求項11ないし15のいずれかに記載の装置において、前記計測器は前記測量ラインを流れる冷却液の温度を計測する第１温度計と、有利には、該温度を表示する温度表示器とを含むことを特徴とする装置。
【請求項１７】
請求項16に記載の装置において、
−該装置は、前記冷却要素流路より上流の冷却液の温度を計測する第２温度計を含み、
−また該装置は、第１温度計で計測した温度と第２温度計で計測した温度との温度差を計算する計算手段と、有利には、該温度差を表示する温度差表示器とを含むことを特徴とする装置。
【請求項１８】
請求項16または17に記載の装置において、前記供給母管と前記回収母管との間に設けられた少なくとも１つの冷却要素流路は、該冷却要素流路を流れる冷却液の流量を、前記計測器の第１温度計によって計測した温度に基づいて調整する調節弁を備えることを特徴とする装置。
【請求項１９】
請求項11ないし18のいずれかに記載の装置において、
−前記計測器は前記測量ラインを流れる冷却液の流量を計測する第１流量計測器を含み、
−前記装置は、前記算出した温度差および計測した冷却液流量に基づいて熱応力を計算する計算手段を含むことを特徴とする装置。
【請求項２０】
請求項11ないし19のいずれかに記載の装置において、前記計測器は、前記測量ラインを流れる冷却液の圧力を計測する圧力指示器と、有利には、該計測した圧力を表示する圧力表示器とを含むことを特徴とする装置。
【請求項２１】
請求項20に記載の装置において、前記供給母管と前記回収母管との間に設けられた少なくとも１つの冷却要素流路は、該冷却要素流路を流れる冷却液の流量を前記計測器の前記圧力指示器で計測した圧力に基づいて調整する調節弁を備えることを特徴とする装置。
【請求項２２】
請求項11ないし21のいずれかに記載の装置において、前記計測器は前記測量ラインを流れる冷却液の流量を計測する第１流量計測器を含むことを特徴とする装置。
【請求項２３】
請求項22に記載の装置において、前記供給母管と前記回収母管との間に設けられた少なくとも１つの冷却要素流路は、該冷却要素流路を流れる冷却液の流量を前記計測器の前記第１流量計測器で計測した流量に基づいて調整する調節弁を備えることを特徴とする装置。